(57)【要約】【課題】人間工学的に好ましい位置で使用者の身体を支持するシート、背もたれ及び１対の肘掛けを備えた、種々の作業を行うことができる背もたれを有する着座構造体を提供すること。【解決手段】支持構造体と、前記支持構造体によって支持されていて、前部及び後部を備えたシートと、前記支持構造体に枢着されると共に前記シートの前記後部に隣接して位置決めされた背もたれとを有し、上方部分の各々は、下方部分のそれぞれから延びて前記背もたれの実質的に腰部領域のところに１対の第１弓形部分を形成し、前記第１弓形部分は、全体として凸状の前方に向いた輪郭を有し、各側部材の前記上方部分は、前記下方部分から側方外方に更に延びており、前記着座構造体は、前記側部材相互間に延びると共に前記側部材に結合されていて、前記側部材の前記第１弓形部分に一致した第２の弓形部分を備える可撓性膜を更に有していることを特徴とする。【選択図】図１
2008073556.tif 000002
【特許請求の範囲】
【請求項１】
着座構造体であって、
支持構造体と、
前記支持構造体によって支持されていて、前部及び後部を備えたシートと、前記支持構造体に枢着されると共に前記シートの前記後部に隣接して位置決めされた背もたれとを有し、前記背もたれは１対の互いに間隔を置いた弓形の側部材を備えたフレームを有し、前記側部材は各々、下方部分と上方部分を有し、前記上方部分の各々は、前記下方部分のそれぞれから延びて前記背もたれの実質的に腰部領域のところに１対の第１弓形部分を形成し、前記第１弓形部分は、全体として凸状の前方に向いた輪郭を有し、各側部材の前記上方部分は、前記下方部分から側方外方に更に延びており、
前記着座構造体は、前記側部材相互間に延びると共に前記側部材に結合されていて、前記側部材の前記第１弓形部分に一致した第２の弓形部分を備える可撓性膜を更に有していることを特徴とする着座構造体。
【請求項２】
前記可撓性膜は、弾性材料から成ることを特徴とする請求項１記載の着座構造体。
【請求項３】
前記弾性材料は、エラストマーモノフィラメントから成ることを特徴とする請求項２記載の着座構造体。
【請求項４】
着座構造体であって、
支持構造体と、
前記支持構造体によって支持されていて、前部及び後部を備えたシートと、前記支持構造体に枢着されると共に前記シートの前記後部に隣接して位置決めされた背もたれとを有し、前記背もたれは、１対の互いに間隔を置いた弓形の側部材を備えたフレームを有し、前記側部材は各々、下方部分と上方部分を有し、前記上方部分の各々は、前記下方部分のそれぞれから延びて前記背もたれの実質的に腰部領域のところに１対の第１弓形部分を形成し、前記第１弓形部分は、全体として凸状の前方に向いた輪郭を有し、
前記着座構造体は、前記側部材相互間に延びると共に前記側部材に結合されていて、前記側部材の前記第１弓形部分に一致した第２の弓形部分を備える可撓性膜を更に有し、前記可撓性膜は、エラストマーモノフィラメントから成る弾性材料で構成されており、前記可撓性膜は、多フィラメントヤーンを更に有していることを特徴とする着座構造体。
【請求項５】
着座構造体であって、
支持構造体と、
前記支持構造体によって支持されていて、前部及び後部を備えたシートと、
前記支持構造体に枢着されると共に前記シートの前記後部に隣接して位置決めされた背もたれとを有し、前記背もたれは、１対の互いに間隔を置いた弓形の側部材を備えたフレームを有し、前記側部材は各々、下方部分と上方部分を有し、前記上方部分の各々は、前記下方部分のそれぞれから延びて前記背もたれの実質的に腰部領域のところに１対の第１弓形部分を形成し、前記第１弓形部分は、全体として凸状の前方に向いた輪郭を有し、
前記着座構造体は、前記側部材相互間に延びると共に前記側部材に結合されていて、前記側部材の前記第１弓形部分に一致した第２の弓形部分を備える可撓性膜を更に有し、前記着座構造体は、前記腰部領域の近くで前記側部材相互間において前記フレームの開口内に設けられた背中支持部材を更に有していることを特徴とする着座構造体。
【請求項６】
前記背中支持部材は、前記フレームに可動的に連結されると共に前記フレームの頂部と底部との間で動くことができることを特徴とする請求項５記載の着座構造体。
【請求項７】
前記側部材の各々に取り付けられた肘掛けを更に有していることを特徴とする請求項１記載の着座構造体。
【請求項８】
前記フレームは、前記側部材の前記上方部分相互間に延びると共に前記上方部分を互いに連結した頂部材と、前記側部材の前記下方部分相互間に延びると共に前記下方部分を互いに連結した底部材とを更に有していることを特徴とする請求項１記載の着座構造体。
【請求項９】
前記頂部材は、湾曲していることを特徴とする請求項８記載の着座構造体。
【請求項１０】
着座構造体であって、
支持構造体と、
前記支持構造体によって支持されていて、前部及び後部を備えたシートと、
前記支持構造体に枢着されると共に前記シートの前記後部に隣接して位置決めされた背もたれとを有し、前記背もたれは、１対の互いに間隔を置いた弓形の側部材を備えたフレームを有し、前記側部材は各々、下方部分と上方部分を有し、前記上方部分の各々は、前記下方部分のそれぞれから延びて前記背もたれの実質的に腰部領域のところに１対の第１弓形部分を形成し、前記第１弓形部分は、全体として凸状の前方に向いた輪郭を有し、前記フレームは、前記側部材の前記上方部分相互間に延びると共に前記上方部分を互いに連結した頂部材を更に有し、前記頂部材は湾曲しており、前記頂部材は、前方に置いた凹状の輪郭を有し、
前記着座構造体は、前記側部材相互間に延びると共に前記側部材に結合されていて、前記側部材の前記第１弓形部分に一致した第２弓形部分を備えた可撓性膜を更に有していることを特徴とする着座構造体。
【請求項１１】
前記膜は、前記膜が前記前方に向いた凹状輪郭に沿って実質的にこれに続く輪郭を有するように前記頂部材に連結されていることを特徴とする請求項１０記載の着座構造体。
【請求項１２】
前記膜は、前記頂部材及び底部材に連結されていることを特徴とする請求項８記載の着座構造体。
【請求項１３】
前記上方部分は、前記下方部分のそれぞれから後方に延びていることを特徴とする請求項１記載の着座構造体。
【請求項１４】
着座構造体であって、
支持構造体と、
前記支持構造体によって支持されていて、前部及び後部を備えたシートと、前記支持構造体に枢着されると共に前記シートの前記後部に隣接して位置決めされた背もたれとを有し、前記背もたれは、１対の互いに間隔を置いた弓形の側部材を備えたフレームを有し、前記側部材は各々、下方部分と上方部分を有し、前記上方部分の各々は、前記下方部分のそれぞれから延びて前記背もたれの実質的に腰部領域のところに１対の第１弓形部分を形成し、前記第１弓形部分は、全体として凸状の前方に向いた輪郭を有し、
前記着座構造体は、前記側部材相互間に延びると共に前記側部材に結合されていて、前記側部材の前記第１弓形部分に一致した第２弓形部分を備える可撓性膜を更に有し、
前記フレームは、チャンネルを有し、前記可撓性膜の縁部に沿って固定された支持部材が更に設けられ、前記支持部材は、前記チャンネル内に挿入されていることを特徴とする着座構造体。
【請求項１５】
前記膜の前記縁部は、前記支持部材と共に成形されていることを特徴とする請求項１４記載の着座構造体。
【請求項１６】
着座構造体であって、
支持構造体と、
前記支持構造体によって枢動自在に支持されていて、前部及び後部を備えたシートと、前記支持部材に枢着されると共に前記シートの前記後部に隣接して位置決めされた背もたれとを更に有し、前記背もたれは、１対の互いに間隔を置いた弓形側部材で及び前記側部材に相互間に延びると共に前記側部材を互いに連結した横部材を備えたフレームを有し、前記側部材は各々、下方部分及び上方部分を有し、前記上方部分の各々は、前記下方部分のそれぞれから後方に延びて前記背もたれの実質的に腰部領域のところに１対の第１弓形部分を形成し、前記横部材は、前方に向いた全体として凹状の輪郭を有し、
前記着座構造体は、前記側部材相互間に延びると共に前記側部材に結合された可撓性膜を更に有し、前記可撓性膜は、前記膜が前記前方に向いた凹状輪郭に沿って実質的にこれに続く輪郭を有するよう前記横部材に連結されており、前記膜は、前記側部材の前記第１弓形部分に一致した第２弓形部分を有していることを特徴とする着座構造体。
【請求項１７】
前記可撓性膜は、弾性材料から成ることを特徴とする請求項１６記載の着座構造体。
【請求項１８】
前記弾性材料は、エラストマーモノフィラメントから成ることを特徴とする請求項１７記載の着座構造体。
【請求項１９】
前記膜は、多フィラメントヤーンを更に有していることを特徴とする請求項１８記載の着座構造体。
【請求項２０】
前記腰部領域の近くで前記側部材相互間において前記フレームの開口内に設けられた背中支持部材を更に有し、前記背中支持部材は、前記可撓性膜に接触していることを特徴とする請求項１６記載の着座構造体。
【請求項２１】
前記背中支持部材は、前記フレームに可動的に連結されており、前記背中支持部材は、前記フレームの頂部と底部との間で動くことができることを特徴とする請求項２０記載の着座構造体。
【請求項２２】
前記側部材の各々に取り付けられた肘掛けを更に有していることを特徴とする請求項５１６記載の着座構造体。
【請求項２３】
前記横部材は、前記側部材の前記上方部分相互間に延びると共に前記上方部分を互いに連結した頂部材を有し、前記横部材は、前記側部材の前記下方部分相互間に延びると共に前記下方部分を互いに連結した底部材を更に有していることを特徴とする請求項１６記載の着座構造体。
【請求項２４】
前記膜は、前記底部材に更に連結されていることを特徴とする請求項２３記載の着座構造体。
【請求項２５】
各側部材の前記上方部分は、前記下方部分から側方外方に更に延びていることを特徴とする請求項１６記載の着座構造体。
【請求項２６】
前記フレームは、チャンネルを有し、前記膜の縁部に沿って固定された支持部材が更に設けられ、前記支持部材は、前記チャンネル内に挿入されていることを特徴とする請求項１６記載の着座構造体。
【請求項２７】
前記膜の前記縁部は、前記支持部材と共に成形されていることを特徴とする請求項２６記載の着座構造体。
【請求項２８】
前記側部材の前記下方部分相互間に延びると共に前記下方部分を互いに連結した底部材を更に有していることを特徴とする請求項１０記載の着座構造体。
【発明の詳細な説明】
【技術分野】
【０００１】
本発明は、広くは、着座構造体に関する。より詳しくは、本発明は、人間工学的に好ましい位置で使用者の身体を支持するシート、背もたれ及び１対の肘掛けを備えた、種々の作業を行うことができる背もたれを有する着座構造体とに関する。
本願は、１９９２年６月１５日付米国特許出願シリアルナンバー第Ｓ／Ｎ 07/898,907号の一部継続出願であり、該米国特許出願の全開示を本願において援用する。
【背景技術】
【０００２】
一般に、事務用椅子は、シート（座）及び背もたれをユニットとして傾動できるか、シートに対して背もたれを傾動できるように構成されている。慣用的な方法でシートに枢着された背もたれを備えた椅子においては、シートに対する背もたれの移動により、使用者の脚及び背中に作用する剪断力が発生する。これらの剪断力は、使用者の衣服の不愉快な引張りを生じさせる。これらの剪断力を補償する試みにおいて、例えば、特許文献１及び特許文献２に開示されているように、幾つかの事務用椅子は、シートの傾動と同時に枢動する背もたれを有している。傾斜位置間で使用者の脚及び体幹の両方の枢動に自然に一致する椅子を提供するには、使用者の股関節の軸線（股関節軸線）の回りで全体として枢動するシート及び背もたれを備えた椅子を提供することが望ましい。
【０００３】
傾斜位置間での快適な傾動を一層確かなものとし且つ所与の傾斜位置にある間の使用者の快適性を高めるには、使用者の足関節の回りの有効な枢動点（ピボットポイント）をもつ傾動機構を備えた椅子を提供することが望ましい。このような足関節傾動（ankle tilt）の特徴は、椅子の傾動に要する努力を軽減させ、使用者の脚の下面に作用するシートの前縁部の圧力を低減させ、且つ使用者の足が床上に留まることができることである。
【０００４】
【特許文献１】米国特許第2,859,801号（Moore）
【特許文献２】米国特許第4,429,917号（Diffrient）
【特許文献３】米国特許第4,555,085号（Bauer等）
【特許文献４】米国特許第4,099,775号（M-izelle）
【発明の開示】
【発明が解決しようとする課題】
【０００５】
幾つかの椅子にはこのような足関節傾動の特徴が導入されているけれども、いずれの椅子も、使用者が如何に一生懸命作業をするかとは無関係に、快適性を確保し且つ疲労を最小にできる身体の全体的姿勢及び身体各部の相対位置決めを理解して処理してはいない。殆どのオフィス環境では、作業者は、机での筆記、口述、電話の使用、又はビデオディスレイ端末（ＶＤＴ）でのタイプ打ち等の幾つかの作業を行う。このような作業は、遂行される固有の作業強度が異なるだけでなく、各個人が所与の作業の作業強度を増減させたいと欲することもある。この結果、快適性を確保し且つ疲労を最小にするための身体の最適位置も変化する。したがって、作業の強モード、中モード又はリラックスモードを遂行できる人間工学的な最適位置で使用者の身体各部を自動的に支持する椅子を提供することが望ましい。また、使用者の体格及び体型の如何に係わらず、使用者の腕を最適位置に位置決めできる調節可能な肘掛け（アームレスト）を提供することが望ましい。
【０００６】
慣用的な事務用椅子に関連する欠点は、シート及び／又は背もたれの形状及び材料にある。一般にこのようなシートは、単一又は多重密度発泡パッドを布又はレザー（皮革）で覆ったもので形成されている。この形式のシートは、使用者の臀部に順応する変形可能なクッションを形成する。しかしながら、順応可能なクッションは、使用者の位置及びシートの傾斜位置に従って変化する自動調節支持を与えない。また、このようなシートは、布の別層として作用するため、通気が不充分である。可撓性膜を組み込んだ椅子では、膜は、一般にシートのフレームに直接取り付けられている。膜は、しばしば、フレームを形成する互いに間隔を隔てたロッドの回りに膜の縁部を巻き付けることによりフレームに取り付けられる。このようなシートの膜は修理及び／又は交換が困難である。なぜならば、このようなメインテナンスを行うには、一般に、椅子を分解しなければならないからである。また、このように取り付けることの構造的条件から、フレーム及び膜の形状及びサイズが制限される。
【０００７】
一般に、事務用椅子のシートは、シートの垂直調節を行うための単段入れ子式支柱により支持されている。これらの支柱は、基礎チューブ内で摺動できる入れ子式チューブ内に取り付けられるガススプリングを有する。米国規格協会（A.N.S.I）及び業務及び施設用器具製造業協会（B.I.F.M.A.）により定められたガイドラインによれば、米国における慣用的な事務用椅子は、一般に、シート高を、床から約16.0インチ（約４０６．４ｍｍ）から約20.5インチ（約５２０．７ｍｍ）まで調節できる。それにも係わらず、体格の非常に小さな又は大きな使用者に適合でき且つ広く国際的な人々に適合できるように、この高さ調節範囲を超えて調節できることが望ましい。
【０００８】
一般に、使用者の膝又は足関節の回りで傾動できるシートでは、この高さ調節範囲を超えることは困難である。単段支柱に作用するモーメントをオフセットさせるため、一般に空気圧機器製造業者は、チューブ間の最小オーバーラップ距離を2.95インチ（７５mm）に設定する。これらの「足関節傾動（ankle tilt）」型及び「膝傾動（knee tilt）」型椅子は比較的大きな傾動ハウジングを有するので、チューブ間に必要なオーバーラップ距離を維持すると同時に、より低い最小シート高及びより高い最大シート高を与えることは困難である。また、これらの形式の傾動椅子は、枢動軸線が支柱からオフセットしているので、チューブに大きなモーメントを伝達する。したがって、椅子のシートの最小高を低下させ且つ最大高を増大させるより大きなストロークを可能にする大きなオーバーラップ距離を有する垂直方向に調節可能な支柱を提供することが望ましい。
【課題を解決するための手段】
【０００９】
簡単にいえば、本発明は、人間工学的に好ましい位置で使用者の身体を支持するシート、背もたれ及び１対の肘掛けを備えた、種々の作業を行うことができる椅子の背もたれに関する。すなわち、本発明は、椅子の背もたれであって、フレームと、前記フレームに取り付けられていて、第１の身体接触面及びこれと反対側の第２の面を備えた膜とを有し、前記膜の少なくとも一部はシースルーであり、前記膜は、エラストマー材料から成り、前記エラストマー材料は、エラストマーモノフィラメントから成り、前記膜は、前記エラストマーモノフィラメント及びモノフィラメントヤーンのストランドで構成された織物から成り、前記背もたれは、前記フレームに取り付けられていて、支持面を備えた背中支持部材を更に有し、前記支持面の少なくとも一部は、前記膜の前記第２面に接触し、前記背中支持部材の少なくとも一部は、前記膜を通してその前記第１身体接触面から見えることを特徴とする。
また、本発明は、椅子の背もたれであって、フレームと、前記フレームに取り付けられていて、第１の身体接触面及びこれと反対側の第２の面を備えた膜とを有し、前記膜の少なくとも一部はシースルーであり、前記背もたれは、前記フレームに取り付けられていて、支持面を備えた背中支持部材を更に有し、前記支持面の少なくとも一部は、前記膜の前記第２面に接触し、前記背中支持部材の少なくとも一部は、前記膜を通してその前記第１身体接触面から見え、前記背中支持部材は、互いに反対側の端部及び中間部を有し、前記互いに反対側の端部及び前記中間部は各々、高さを有し、前記中間部の高さは、前記互いに反対側の端部の高さよりも大きいことを特徴とする。
【００１０】
また、本発明は、椅子の背もたれであって、中央開口が貫通して設けられたフレームを有し、前記フレームは、前記中央開口の周囲全体に沿ってぐるりと形成されたチャンネルを有し、前記背もたれは、第１身体接触面及びこれと反対側の第２面を備えた膜を更に有し、前記膜の少なくとも一部は、シースルーであり、前記膜は、前記中央開口を覆っており、前記背もたれは、前記フレームに取り付けられていて、支持面を備えた背中支持部材を更に有し、前記支持面の少なくとも一部は、前記膜の前記第２面に接触し、前記背中支持部材の少なくとも一部は、前記膜を通してその前記第１身体接触面から見え、前記背中支持部材は、前記中央開口の少なくとも一部を横切って延び、前記背もたれは、前記膜に固定された支持部材を更に有し、前記支持部材は、前記チャンネル内に挿入され、前記膜は、前記フレームに取り付けられていることを特徴とする。
また、本発明は、椅子の背もたれであって、１対の側部材並びに前記側部材相互間に延びると共に前記側部材に連結された頂部材及び底部材を備えたフレームを有し、前記側部材並びに前記頂部材及び前記底部材は、これらの間に開口を構成しており、前記背もたれは、側部材に取り付けられた膜を更に有し、前記頂部材及び前記底部材は、前記開口を横切って延び、前記膜は、第１身体接触面及びこれと反対側の第２面を有し、前記膜の少なくとも一部はシースルーであり、前記膜は、エラストマー材料から成り、前記背もたれは、前記側部材相互間且つ前記頂部材と底部材との間で前記フレームの前記開口内に設けられた背中支持部材を更に有し、前記背中支持部材は、支持面を有し、前記支持面の少なくとも一部は、前記膜の前記第２面に接触し、前記背中支持部材の少なくとも一部は、前記膜を通し、その前記第１身体接触面から見ることができ、前記背中支持部材は、実質的に水平な軸線回りに回転自在であることを特徴とする。
【００１１】
また、本発明は、椅子の背もたれであって、１対の側部材並びに前記側部材相互間に延びると共に前記側部材に連結された頂部材及び底部材を備えたフレームを有し、前記側部材並びに前記頂部材及び前記底部材は、これらの間に開口を構成しており、前記背もたれは、側部材に取り付けられた膜を更に有し、前記頂部材及び前記底部材は、前記開口を横切って延び、前記膜は、第１身体接触面及びこれと反対側の第２面を有し、前記膜の少なくとも一部はシースルーであり、前記背もたれは、前記側部材相互間且つ前記頂部材と底部材との間で前記フレームの前記開口内に設けられた背中支持部材を更に有し、前記背中支持部材は、支持面を有し、前記支持面の少なくとも一部は、前記膜の前記第２面に接触し、前記背中支持部材の少なくとも一部は、前記膜を通してその前記第１身体接触面から見ることができ、前記背中支持部材は、互いに反対側の端部及び中間部を有し、前記互いに反対側の端部及び前記中間部は各々、高さを有し、前記中間部の前記高さは、前記互いに反対側の端部の高さよりも大きいことを特徴とする。
【００１２】
また、本発明は、椅子の背もたれであって、１対の側部材並びに前記側部材の相互間に延びると共に前記側部材に連結された頂部材及び底部材を備えたフレームを有し、前記側部材並びに前記頂部材及び底部材は、これらの間に開口を構成し、前記フレームは、チャンネルを有し、前記チャンネルは、前記開口の周囲全体に沿ってぐるりと前記側部材、前記頂部材及び前記底部材の各々に形成されており、前記背もたれは、側部材に取り付けられた膜を更に有し、前記頂部材及び前記底部材は、前記開口を横切って延び、前記膜は、第１身体接触面及びこれと反対側の第２面を有し、前記膜の少なくとも一部は、シースルーであり、前記背もたれは、前記側部材相互間で且つ前記頂部材と底部材との間で前記フレームの前記開口内に設けられた背中支持部材を更に有し、前記背中支持部材は、支持面を有し、前記支持面の少なくとも一部は、前記膜の前記第２面に接触し、前記背中支持部材の少なくとも一部は，前記膜を通してその前記第１身体接触面から見ることができ、前記背もたれは、前記膜に固定された支持部材を更に有し、前記支持部材は、前記チャンネル内に挿入されていることを特徴とする。
また、本発明は、椅子の背もたれであって、１対の側部材並びに前記側部材相互間に延びると共に前記側部材に連結された頂部材及び底部材を備えたフレームを有し、前記側部材並びに前記頂部材及び底部材は、これらの間に開口を構成し、前記背もたれは、前記側部材に取り付けられた膜を更に有し、前記頂部材及び前記底部材は、前記開口を横切って延び、前記膜は、第１身体接触面及びこれと反対側の第２面を有し、前記膜の少なくとも一部は、シースルーであり、前記膜は、エラストマー材料から成り、前記エラストマー材料は、エラストマーモノフィラメントから成り、前記膜は、前記エラストマーモノフィラメント及び多フィラメントヤーンのストランドで構成された織物から成り、前記背もたれは、前記側部材相互間で且つ前記頂部材と底部材との間で前記フレームの前記開口内に設けられた背中支持部材を更に有し、前記背中支持部材は、支持面を有し、前記支持面の少なくとも一部は、前記膜の前記第２面に接触し、前記背中支持部材の少なくとも一部は、前記膜を通してその前記第１身体接触面から見ることができることを特徴とする。
【００１３】
また、本発明は、着座構造体であって、支持構造体と、前記支持構造体によって支持されていて、前部及び後部を備えたシートと、前記支持構造体に枢着されると共に前記シートの前記後部に隣接して位置決めされた背もたれとを有し、前記背もたれは、１対の互いに間隔を置いた弓形の側部材を備えたフレームを有し、前記上方部分の各々は、前記下方部分のそれぞれから延びて前記背もたれの実質的に腰部領域のところに１対の第１弓形部分を形成し、前記第１弓形部分は、全体として凸状の前方に向いた輪郭を有し、各側部材の前記上方部分は、前記下方部分から側方外方に更に延びており、前記着座構造体は、前記側部材相互間に延びると共に前記側部材に結合されていて、前記側部材の前記第１弓形部分に一致した第２の弓形部分を備える可撓性膜を更に有していることを特徴とする。
また、本発明は、着座構造体であって、支持構造体と、前記支持構造体によって支持されていて、前部及び後部を備えたシートと、前記支持構造体に枢着されると共に前記シートの前記後部に隣接して位置決めされた背もたれとを有し、前記背もたれは、１対の互いに間隔を置いた弓形の側部材を備えたフレームを有し、前記上方部分の各々は、前記下方部分のそれぞれから延びて前記背もたれの実質的に腰部領域のところに１対の第１弓形部分を形成し、前記第１弓形部分は、全体として凸状の前方に向いた輪郭を有し、前記着座構造体は、前記側部材相互間に延びると共に前記側部材に結合されていて、前記側部材の前記第１弓形部分に一致した第２の弓形部分を備える可撓性膜を更に有し、前記可撓性膜は、エラストマーモノフィラメントから成る弾性材料で構成されており、前記可撓性膜は、多フィラメントヤーンを更に有していることを特徴とする。
【００１４】
また、本発明は、着座構造体であって、支持構造体と、前記支持構造体によって支持されていて、前部及び後部を備えたシートと、前記支持構造体に枢着されると共に前記シートの前記後部に隣接して位置決めされた背もたれとを有し、前記背もたれは、１対の互いに間隔を置いた弓形の側部材を備えたフレームを有し、前記上方部分の各々は、前記下方部分のそれぞれから延びて前記背もたれの実質的に腰部領域のところに１対の第１弓形部分を形成し、前記第１弓形部分は、全体として凸状の前方に向いた輪郭を有し、前記着座構造体は、前記側部材相互間に延びると共に前記側部材に結合されていて、前記側部材の前記第１弓形部分に一致した第２の弓形部分を備える可撓性膜を更に有し、前記着座構造体は、前記腰部領域の近くで前記側部材相互間において前記フレームの開口内に設けられた背中支持部材を更に有していることを特徴とする。
また、本発明は、着座構造体であって、支持構造体と、前記支持構造体によって支持されていて、前部及び後部を備えたシートと、前記支持構造体に枢着されると共に前記シートの前記後部に隣接して位置決めされた背もたれとを有し、前記背もたれは、１対の互いに間隔を置いた弓形の側部材を備えたフレームを有し、前記上方部分の各々は、前記下方部分のそれぞれから延びて前記背もたれの実質的に腰部領域のところに１対の第１弓形部分を形成し、前記第１弓形部分は、全体として凸状の前方に向いた輪郭を有し、前記フレームは、前記側部材の前記上方部分相互間に延びると共に前記上方部分を互いに連結した頂部材を更に有し、前記頂部材は湾曲しており、前記頂部材は、前方に置いた凹状の輪郭を有し、前記着座構造体は、前記側部材相互間に延びると共に前記側部材に結合されていて、前記側部材の前記第１弓形部分に一致した第２弓形部分を備えた可撓性膜を更に有していることを特徴とする。
【００１５】
また、本発明は、着座構造体であって、支持構造体と、前記支持構造体によって支持されていて、前部及び後部を備えたシートと、前記支持構造体に枢着されると共に前記シートの前記後部に隣接して位置決めされた背もたれとを有し、前記背もたれは、１対の互いに間隔を置いた弓形の側部材を備えたフレームを有し、前記上方部分の各々は、前記下方部分のそれぞれから延びて前記背もたれの実質的に腰部領域のところに１対の第１弓形部分を形成し、前記第１弓形部分は、全体として凸状の前方に向いた輪郭を有し、前記着座構造体は、前記側部材相互間に延びると共に前記側部材に結合されていて、前記側部材の前記第１弓形部分に一致した第２弓形部分を備える可撓性膜を更に有し、前記フレームは、チャンネルを有し、前記可撓性膜の縁部に沿って固定された支持部材が更に設けられ、前記支持部材は、前記チャンネル内に挿入されていることを特徴とする。
また、本発明は、着座構造体であって、支持構造体と、前記支持構造体によって枢動自在に支持されていて、前部及び後部を備えたシートと、前記支持部材に枢着されると共に前記シートの前記後部に隣接して位置決めされた背もたれとを更に有し、前記背もたれは、１対の互いに間隔を置いた弓形側部材で及び前記側部材に相互間に延びると共に前記側部材を互いに連結した横部材を備えたフレームを有し、前記側部材は各々、下方部分及び上方部分を有し、前記上方部分の各々は、前記下方部分のそれぞれから後方に延びて前記背もたれの実質的に腰部領域のところに１対の第１弓形部分を形成し、前記横部材は、前方に向いた全体として凹状の輪郭を有し、前記着座構造体は、前記側部材相互間に延びると共に前記側部材に結合された可撓性膜を更に有し、前記可撓性膜は、前記膜が前記前方に向いた凹状輪郭に沿って実質的にこれに続く輪郭を有するよう前記横部材に連結されており、前記膜は、前記側部材の前記第１弓形部分に一致した第２弓形部分を有していることを特徴とする。
【００１６】
本発明の一態様では、リンク組立体が、シート及び背もたれを下方且つ後方に傾けることができ且つ使用者が身につけた衣服が剪断力により引っ張られないようにするため、使用者の股関節にほぼ整合する枢軸線の回りでシートを枢動させることができるようになっている。
本発明の他の態様では、リンク組立体は、床上に足を置いた使用者のほぼ足関節の位置に有効枢動点の回りでシートが枢動するように、シート及び背もたれを下方且つ後方に傾動できるようになっている。
【００１７】
本発明の更に別の態様では、垂直方向に調節可能な支柱が外側ガイドチューブと、該外側ガイドチューブ内に摺動可能に配置された入れ子式の中間チューブと、該中間チューブ内に摺動可能に配置された入れ子式の内側チューブとを有する。外側ガイドチューブは支持スタンドに取り付けられ、内側チューブの上部はシート支持部材に連結されている。ガススプリングが設けられており、該ガススプリングは、内側チューブ内に取り付けられたシリンダと、該シリンダから外方に延び且つ外側ガイドチューブの底部に連結された一端を備えたピストンロッドと、アクチュエータ部材と作動可能に係合するようにシリンダの上部に取り付けられた制御ピン組立体とを有する。ピストンロッドは、シリンダ及び内側チューブがほぼ中間チューブ内にあり且つ中間チューブがほぼ外側ガイドチューブ内にある収縮位置と、シリンダ及び内側チューブの一部が中間チューブから外方に延び且つ中間チューブの一部が外側ガイドチューブから外方に延びている上昇位置との間で伸縮できる。
本発明の他の態様では、椅子のシート及び背もたれはフレーム部材を有し、該フレーム部材はこれを貫通する中央開口及び該開口の周辺部に形成された受入れ部を備えている。弾性材料からなる膜が中央開口を覆っており且つ受入れ部内に嵌合する支持部材に取り付けられるようになっている。
本発明の更に別の態様では、１対の肘掛けが、椅子に取り付けられ、背もたれの全体的平面に対して実質的に垂直な平面内で枢動して、使用者の前腕が置かれる角度に適合できるようになっている。
【００１８】
本発明の好ましい実施例では、リンク組立体が１対の第１リンクを有し、該第１リンクの一端は、使用者の股関節とほぼ整合する枢軸線を形成すべくシートの横方向部分に枢着されている。１対の第２リンクは、第１リンクに強固に（剛に）連結された第１部分と、該第１部分から下方に傾斜した第２部分とを有する。
第２部分は、基礎部材の前部に枢着された一端に終端している。拘束リンクは、その一端がシートの後部に枢着され、他端が基礎部材に枢着されていて、シートの傾斜を制限する。第１リンク、第２リンク及び拘束リンクは、床上に足を載せた使用者のほぼ足関節の位置に、シートの有効枢動点を形成するように構成されている。かくして、シートは、背もたれとシートとが後方に傾動するとき、これらの間の角度が増大するように使用者の股関節軸線の回りで枢動する。
好ましくは、椅子は、使用者の背中の腰部領域を支持するための湾曲部を備えている。シートに対する背もたれの後方への傾斜が大きくなるにつれて、使用者の腰部領域の変化する位置に適合するように、湾曲部が自動的に下降される。
椅子には、使用者の背中のほぼ腰部領域において背もたれを水平方向に横切って配置される高さ調節可能な可撓性ストラップを設けるのが好ましい。また、ストラップ部材は、使用者の背中を支持する所望の張力を付与するために、横方向に調節可能である。肘掛けは、爪／ラック機構により背もたれフレームに対して高さ調節できるのが好ましい。
また、弾性材料からなる膜は、使用者の身体の輪郭に適合できるようにするため、支持部材を受入れ部内に挿入する前に予張力を付与しておくのが好ましい。支持部材は単一片構造とし、受入れ部内に圧嵌めできるのが好ましい。また、膜の縁部は支持部材と共に一体成形するのが好ましい。支持部材はフレーム部材の受入れ部内にパチンと嵌合できるように構成し、膜の縁部は支持部材に溶接（融着）される。
【発明の効果】
【００１９】
本発明の実施例は、他の傾動可能な事務用椅子に比べ優れた長所を有する。例えば、最も好ましい実施例では、シート及び背もたれは、椅子の傾動中に使用者の身体に自然に倣い、これにより、使用者の大腿及び体幹に作用する剪断力を低減させ且つ膝において使用者の大腿の下面に作用する圧力を最小にする。また、本発明の椅子は、使用者の身体を人間工学的に好ましい位置で自動的に支持して、強さの異なる作業ができるようにする。使用者の体重が均一に分散され且つ重心の移動が補償されるため、使用者は均一で良好なバランスを維持することができる。かくして、使用者の身体は疲労を軽減すべく位置決めされ、種々の作業を行うための適正な整合が得られ、且つ全体的な快適性が確保される。また、椅子の垂直調節範囲が増大され、慣用的な事務用椅子に比べて最小高を低くし且つ最大高を高くすることができる。
本発明及び本発明の他の目的及び長所は、添付図面に関連して述べる以下の詳細な説明を参照することにより最も良くされるであろう。
【発明を実施するための最良の形態】
【００２０】
図１〜図７には、中間傾斜位置にある椅子３０の好ましい実施例が示されている。椅子３０はシート３２、背もたれ３４及び１対の肘掛け組立体３６を有する。シート３２及び背もたれ３４は、リンク組立体４０を介して傾斜制御ハウジング３８に連結されている。傾斜制御ハウジング３８は、受台４４の中心に固定された、垂直方向に調節可能な二段支柱４２に取り付けられている。受台４４は、複数のキャスタ４８等により床４６上で移動可能に支持される。
【００２１】
本発明の好ましい実施例では、リンク組立体４０は、使用者のほぼ股関節の位置に枢軸線を形成する枢動点５４で、シートフレーム３３の上方に延びる側部５２に枢着された１対の第１リンク５０を有する。１対の第２リンク５６は、その各々が、第１リンク５０が固定されるほぼ直線状の第１部分５８と、該第１部分５８から下方に傾斜した第２部分６０とを有する。各第１部分５８の上方に延びた後端部６２が背もたれ３４のフレーム６４に連結され、各第２部分６０の内方に延びた前端部６６が傾斜制御ハウジング３８の前部に枢着されている。かくして、互いに強固に連結（固定）された第１リンク５０及び第２リンク５６は、床４６上に足を置く使用者のほぼ足関節の位置に有効枢動点６８を形成する４バーリンケージ（４バーリンク機構）の２つのバーとして作用する。
【００２２】
図８〜図１０に最も良く示すように、シート３２及び背もたれ３４は、後方に同時に傾動するとき、両方共ヒップ枢動点５４の回りで枢動する。シート３２の傾斜を制限するため、リンク組立体４０は、第１リンク５０及び第２リンク５６に関連する４バーリンケージを形成する１対の拘束リンク７０を有する。拘束リンク７０の一端７２は、リンク５６の端部６６が傾斜制御ハウジング３８に取り付けられた位置より後方且つ下方でハウジング３８の前部に枢着されている。拘束リンク７０の他端７４は、シート３２の後縁部から下方に延びた対応するクレビス７６に枢着されている。かくして、シート３２は、これが第１リンク５０に枢着されているためヒップ枢動点５４の回りで枢動し、背もたれ３４は、第２リンク５６が第１リンク５０に固定されているため、同じ枢動点５４の回りで枢動する。また、シート３２及び背もたれ３４は枢動点６６の回りで同時に枢動し、拘束リンク７０は、シート３２を使用者の足関節に位置する有効枢動点６８の回りで枢動させる。
【００２３】
上記椅子構造の１つの長所は、使用者が種々の位置の間で傾動するとき、使用者の脚及び胴に着用された衣服に作用する剪断力を最小にできることである。使用者の脚及び胴は股関節の回りで自然に枢動し且つシート３２及び背もたれ３４の両方も同じ枢軸線５４の回りで枢動するため、傾斜位置が変化するときに使用者の衣服が引っ張られることはない。シート３２及び背もたれ３４のこのような傾動は、使用者の足関節の回りで枢動するシートに関連して説明したけれども、シート３２及び背もたれ３４は他の軸線の回りで枢動させることもできる。例えば、第２リンク５６は、その前端部を支柱４２の直ぐ上で傾斜ハウジング組立体３８に枢着するように構成し、慣用的な「ナックルチルト」を構成することもできる。また、第２リンク５６を第１リンク５０に強固に取り付け且つ第１リンク５０を所望位置で傾斜制御ハウジング３８に枢着することもできる。
【００２４】
本発明の足関節傾動の特徴により、種々の傾斜位置間で傾動するときの使用者の快適性も高められる。シート３２は使用者の足関節の回りで後方に傾動するので、使用者は、足を床から持ち上げる努力を殆ど必要とすることなく後方に傾動できる。また、リンク組立体４０の構造は、前縁部７８が大きく後方に移動することなくシート３２を傾動させることができ、これにより、使用者の膝の大腿の下面に作用する圧力が最小になる。
【００２５】
本発明の他の長所は、使用者が行う作業の種類又は作業強度とは無関係に、使用者の身体を人間工学的に好ましい姿勢に位置決めできることである。この目的のため、シート３２及び背もたれ３４は、少なくとも、作業の強モード、中モード及びリラックスモードに対応する前方傾斜位置、中間傾斜位置及びもたれ掛かり傾斜位置の間で傾動できる。
【００２６】
強作業モードでのいたわりを増大させ且つ疲労を最小にするには、椅子３０を図８及び図１０に示すように前方に傾動するのが好ましい。この位置では、シート３２は床４６から約６°の角度で前方に傾斜され、シート３２と背もたれ３４との間の角度は約９５°である。この傾斜位置は、使用者の足が床上で平らになるように、使用者の身体を僅かに前方に傾斜した姿勢に支持し、体幹と大腿との間の角度が９０°より大きく、脊柱中心線は床４６に対してほぼ垂直であり、且つ使用者の頭は床４６に対して垂直であるか、下方及び前方に僅かに曲がっている。この前方傾斜位置は血圧を上げる傾向を有し、これにより、目の網様体を高揚させ且つ作業強度の大きい作業を行うのに望まれる緊張状態を引き起こす。使用者の大腿と体幹との間の開き角度も呼吸を高め、これが更に緊張状態を高める。
【００２７】
中作業モードで身体を緊張状態に維持する間の快適性を高め且つ疲労を最小にするため、椅子３０は、図１〜図７に示し且つ図１０に破線で示すような中間位置に傾動できる。この位置では、シート３２はほぼ水平であり且つ背もたれとシートとの間の角度は約１０４°である。かくして、使用者の身体は使用者の足が床上で平らになる僅かに後方に傾斜した位置に支持され、体幹と大腿との間の角度は増大され且つ使用者の頭は床に対して垂直になる。
【００２８】
もたれ掛かり傾斜位置（図９及び図１０）では、シート３２は床４６から約１１°の角度で後方に傾動し、背もたれとシートとの間の角度は約１０８°になる。使用者の身体は、使用者の足が床上で平らになる後方傾斜位置に支持され、且つ使用者のふくら脛と大腿との間の角度を拡げるべく椅子３０から更に離される。使用者の体幹と大腿との間の角度は増大され且つ使用者の頭は床に対して垂直に維持される。使用者の体幹は、臀部から脊柱への大きな体重シフトが生じる位置まで後方に傾斜され、これにより、脊柱円板（spinal discs）に作用する圧力及び圧縮を緩和する。
【００２９】
背もたれ３４に対するシート３２の上記位置を得るため、第１リンク５０、第２リンク５６及び拘束リンク７０は、シート及び背もたれが後方に傾動（図８〜図１０）すると、シート３２と背もたれ３４との間の角度を増大できるように構成されている。背もたれ３４と床４６との間の角度は、シート３２と床４６との間の角度より大きな割合で増大するのが好ましい。足関節枢軸線６８の回りのシート３２及び背もたれ３４の後方傾動に所望の抵抗を与えるため、及びヒップ枢動点５４の回りの第１リンク５０及び背もたれ３４の傾動を更に制限するため、傾斜制御ハウジング３８内には捩りばね又は圧縮ばね等の傾斜制御機構が配置されている。第２リンク５６は傾斜制御機構により前方及び上方に押圧されるけれども、この点については後で詳述する。また、椅子３０の最大後方傾斜を変化させるための調節可能な後方傾斜制限機構が設けられ、且つシート３２が図１〜図７に示す全体として水平な中間位置を超えて前方に傾動することを防止するための前方傾斜制限機構が設けられている。これらの後方傾斜制限機構及び前方傾斜制限機構についても後で詳述する。また、椅子３０を前方傾斜位置、中間位置及びもたれ掛かり傾斜位置にロックするための傾斜ロック機構も設けられている。これは第２リンク５６及び背もたれ３４を所望の傾斜位置にロックすることにより達成され、これによりシート３２の移動も防止される。この形式の傾斜機構の一例が、特許文献３及び特許文献４に開示されている。
【００３０】
また、椅子３０は、種々の体格の使用者の身体を床及び／又は作業面に対して人間工学的に好ましい位置に位置決めすべく高さ調節ができる。垂直方向に調節可能な２段支柱４２は任意の形式の椅子に組み込むことができ、ここに記載する椅子３０に限定されるものではない。
【００３１】
図１１Ａ及び図１１Ｂに示すように、支柱４２は外側ガイドチューブ１１０を有し、該チューブ１１０は、その底壁１１２が床４６から離れるようにして受台４４に取り付けられる。外側ガイドチューブ１１０内には、中間入れ子式チューブ１１４が摺動可能に配置されている。中間チューブ１１４には、上方部分１２２より大きい内径及び外径をもつ下方部分１２０を形成すべく、チューブ１１４の中間に、内方肩部１１６と、外方肩部１１８とを設けるのが好ましい。中間チューブ１１４の下方部分１２０は外側チューブ１１０に対して摺動可能に支持され、所望位置にロックされると、外側チューブ１１０と中間チューブ114の下方部分１２０とのオーバーラップ領域が両チューブに作用するあらゆるモーメントをオフセットさせ、使用者を椅子３０に座った状態に支持する。中間チューブ１１４の上方への移動を制限するため、外側中間チューブ１１０の頂部には保持カラー１２４が取り付けられており、該保持カラー１２４は中間チューブ１１４の上方部分１２２を摺動可能に受け入れている。上昇位置において、中間チューブ１１４の外方肩部１１８は外側中間チューブ１１０のカラー１２４に当接する。
【００３２】
中間チューブ１１４内には内側入れ子式チューブ１２６が摺動可能に配置されており、該内側入れ子式チューブ１２６は傾斜制御ハウジング３８に取り付けられる頂部を有している。内側チューブ１２６は中間チューブ１１４の上方部分１２２に対して摺動可能に支持され、所望位置にロックされると、内側チューブ１２６と中間チューブ１１４の上方部分１２２とのオーバーラップ領域が、両チューブに作用するあらゆるモーメントを更にオフセットし、椅子３０に座る使用者を支持する。また、中間チューブ１２６は慣用的な支柱より傾斜制御ハウジング３８に近接していてチューブに作用するモーメントを減少させるため、チューブに作用するモーメントが小さくなる。内側チューブ１２６の上方への移動を制限するため、内側チューブ１２６の底縁部には保持カラー１３０が取り付けられており、該保持カラー１３０は中間チューブ１１４の下方部分１２０を摺動可能に支持する。また、内側チューブ１２６が上方に移動すると、保持カラー１３０は、中間チューブ１１４と協働して該中間チューブ１１４を支持する。
【００３３】
椅子３０の垂直位置を調節するため、空気圧シリンダ１３４を備えた慣用的なガススプリング１３２が内側チューブ１２６内に取り付けられている。ピストンロッド１３６がシリンダ１３４から軸線方向外方に延びており且つ外側ガイドチューブ１１０の底壁１１２に連結された端部１３８を有している。シリンダ134の頂壁から上方に制御ピン１４０が延びていて、慣用的なアクチュエータ部材（図示せず）と係合して作動する。アクチュエータ部材は、第１リンク５０に収容されるケーブル（図示せず）の端部に設けられた制御ノブにより操作される。ピストンロッド１３６は、収縮位置（図１２）と上昇位置（図１１）との間で伸縮できる。収縮位置では、シリンダ１３４及び内側チューブ１２６がほぼ中間チューブ１１４内にあり、且つ中間チューブ１１４はほぼ外側チューブ１１０内にある。上昇位置では、シリンダ１３４及び内側チューブ１２６の一部が中間チューブ１１４から外方に延び、中間チューブ１１４の上方部分１２２が外側チューブ１１０から外方に延びる。
【００３４】
かくして、中間チューブ１１４は付加的なオーバーラップ支持領域を与えて、さもなくば外側チューブ１１０に作用するであろうモーメントアームを減少させ、傾斜ハウジング３８及びシート３２がより高く上昇できるようにする。この結果、椅子３０は、慣用的な椅子よりも、より低い位置に下降させ且つより高い位置に上昇させることができる。床４６と外側チューブ１１０の底壁１１２との間の距離は約１／２インチ（１２．７ｍｍ）、及び外側チューブ１１０の高さは約８・１／２インチ（２１５．９ｍｍ）として、ハウジング３８を床４６から約９インチ（約２２８．６ｍｍ）の高さまで下降できるようにするのが好ましい。また、ピストンロッド１３６のストロークは約７インチとして、傾斜ハウジング３８が床４６から約１６インチ（約４０６．４ｍｍ）の高さまで上昇できるようにするのが好ましい。
【００３５】
図１２Ａ〜図１３には、支柱４２の他の実施例が示されている。これらの実施例は前述の実施例と同様であり、図１２Ａ〜図１３に示される同様な部品は前と同じ番号で示す。ここで、図１２Ａ及び図１３を参照すると、中間チューブ１１４は鋼で実質的に円筒状に作るのが好ましく、且つ外側チューブ１１０及び内側チューブ１２６から半径方向に間隔を隔てて配置される。外側チューブ１１０内で中間チューブ１１４を案内し且つ支持するため、ブシュ１２４は外側チューブ１１０の頂部から半径方向内方に延び且つ下方のブシュ１１１は中間チューブ１１４の底部から半径方向外方に延びている。かくして、中間チューブ１１４が外側チューブ１１０内で軸線方向に移動するとき、ブシュ１２４は中間チューブ１１４の外面１１３に対して摺動可能に当接し且つ下方のブシュ１１１は外側チューブ１１０の内面１１５に対して摺動可能に当接する。使用者が椅子に座るとき、荷重支持ブシュ１１１、１２４間の距離は、中間チューブ１１４に作用するあらゆるモーメントをオフセットさせるべく作用するモーメントアームを形成する。外側チューブ１１０内での中間チューブ１１４の上方への移動を制限するため、第１スペーサ１１７（環状バンドの形態をなすものが好ましい）が、外側チューブ１１０と、中間チューブ１１４とブシュ１１１、１２４との間に配置される。図１２Ｂに示すように、両チューブ１１０、１１４の間には第１スペーサ１１７を緩く嵌合させ、これにより、ブシュが中間チューブ１１４と共に下方に移動するときに、第１スペーサ１１７が中間チューブ１１４の下方のブシュ１１１上に座合した状態に維持されるようにするのが好ましい。
【００３６】
同様に、内側入れ子式チューブ１２６も中間チューブ１１４から半径方向に間隔を隔てて配置され、且つ鋼で円箇状に作るのが好ましい。中間チューブ１１４内で内側チューブ１２６を支持し且つ案内するため、ブシュ１３０が内側チューブ１２６の底部から半径方向外方に延び且つ上方のブシュ１１９が中間チューブ１１４の頂部から半径方向内方延びている。中間チューブ１１４内で内側チューブ１２６を案内するため、内側チューブのブシュ１３０が中間チューブ１１４の内面１２１に対して摺動可能に当接し且つ中間チューブ１１４の上方のブシュ１１９が内側チューブ１２６の外面１２３に対して摺動可能に当接している。かくして、荷重支持ブシュ１１９、１３０間の距離は、内側チューブ１２６に作用するあらゆるモーメントをオフセットすべく作用するモーメントアームを形成する。内側チューブ１２６の上方への移動を制限するため、第２スペーサ１２５（環状バンドの形態をなすものが好ましい）が、内側チューブ１２６と、中間チューブ１１４とブシュ１３０、１１９との間に配置される。図１２Ａに示すように、椅子の最大高は、ブシュ１１１、１１９、１２４、１３０に対して当接する第１環状スペーサ１１７及び第２環状スペーサ１２５の高さにより制限される。
【００３７】
したがって、チューブ１１０、１１４、１２６間のオーバーラップ距離、より詳しくは、荷重支持ブシュ１１１、１１９、１２４、１３０間の距離は、慣用的な支柱より大きな横方向支持を与える。この結果、傾斜ハウジング３８及びシート３２は、より大きな最大高まで上昇し且つより小さな最小高まで下降される。また、支柱４２の実施例は、慣用的な支柱（一般に、外側チューブの頂部内に取り付けられたスリーブに対して摺動可能に当接する単一の入れ子式チューブを有する）よりコスト安である。チューブのあらゆる角度的移動又は左右の揺動を防止するためには、これらの支柱のスリーブと入れ子式チューブとの間の公差は比較的厳格にしなければならない。  本発明では、チューブの端部に配置される互いに間隔を隔てた複数の荷重支持ブシュを使用しているため、中間チューブ１１４及び内側チューブ１２６が左右に揺動する傾向が低減され、したがってこのような厳格な公差を設ける必要性をなくすことができる。
【００３８】
図１２Ａ及び図１２Ｂに示す他の実施態様では、外側チューブ１１０の上部に截頭円錐状取付け部材１２７が取り付けられている。取付け部材１２７の外面は比較的大きなテーパを有し且つ受台すなわち支持スタンド４４（該スタンド４４も比較的大きなテーパを有する）に形成された截頭円錐状キャビティ１２９と係合する。キャビティ１２９は、好ましくは、受台４４の中央部１３１に形成され且つここから下方に延びるハブ１３３により形成される。テーパ状取付け部材１２７はキャビティ１２９の上部の中に嵌入され、外側チューブ１１０の下部はキャビティ１２９の下部で該キャビティの内壁１３５に対して当接し、これが支柱４２の付加的な横方向支持を与える。一般に、慣用的な支柱の外側チューブは受台から外に出た円筒状頂部と、受台に同様に形成されたキャビティに直接取り付けられた僅かにテーパ状の底部とを有する。受台に組み付けられるときに外側チューブの底部がキャビティ内に正確に嵌入されない場合には、僅かなテーパが付してあることにより、外側チューブがキャビティ内に完全に降下することが妨げられ、これがシートの最小高を高めてしまう。かくして、慣用的な外側チューブの僅かなテーパ部は、一般に、受台のキャビティ内に適正に嵌合できるようにするため、厳格な公差を必要とする。このような厳格な公差は維持が困難であり且つコスト高になる。取付け部材１２７及びキャビティ１２９は、外側チューブ１１０がキャビティ１２９内に完全に降下できるようにする大きなテーパを付すことによりこの問題を解決している。また、外側チューブ１００は、上方部分が受台４４に直接取り付けられないため、厳格な公差を必要としない。
【００３９】
慣用的な支柱に付随する他の困難性は、支持スリーブ（該スリーブは、一般に外側チューブの頂部内に取り付けられる）に作用する応力によってスリーブが変形され易いため、外側チューブの頂部には一般にテーパを付すことができないことである。前述のように、スリーブと外側チューブとの間には厳格な公差を保持しなければならないため、このような変形は許容できないものである。この結果、外側チューブの円筒状頂部が受台の外に出て、これがシートの最小高を更に低下させる。支柱４２はその構成部品間の厳格な公差が不要であり、且つ複数の荷重支持部材が外側チューブ１０の頂部から移動できるように間隔を隔てているため、チューブが動かなくなる変形を生じさせる虞れなく、截頭円錐状取付け部材127を外側チューブ１１０の頂部に取り付けることができる。この結果、外側チューブ１１０の頂部をキャビティ１２９内に配置でき、これがシート３２の最小高を更に低下させる。
【００４０】
図１３は支柱４２の更に別の実施例を示し、該支柱４２は外側ガイドチューブ１１０の底部内に配置されたばね１４２を有する。中間チューブ１１４には、保持ブシュと係合して内側チューブ１２６と共に中間チューブ１１４を上昇させるための内方肩部が設けられていない。この代わりに、ばね１４２が中間チューブ１１４の底縁部１４４と係合して中間チューブを上方に押圧する。
【００４１】
本発明の他の特徴は、高さ調節可能な枢動肘掛け３６にある。図１４に最も良く示すように、肘掛け３６は、背もたれ３４の側縁部に隣接する軸線の回りで枢動できる。これらの軸線は、使用者の前腕を肘掛け３６上に置くと使用者の肘とほぼ整合するように配置され、前腕が配置される角度に適合するようになっている。肘掛け３６は背もたれフレーム６４に取り付けられていて、いかなる傾斜位置においても使用者の前腕との適正な整合を得ることができる。
【００４２】
図１５に示すように、肘掛け３６は、パッドを取り付ける基板１５０と、ほぼ水平な頂板１５４を備えた支持アーム１５２とを有する。基板１５０にはねじ孔１５６が設けられ、頂板１５４には、支持アーム１５２に対して基板１５０が枢動できるようにするねじ緊締具１６０を受け入れるための孔１５８が設けられている。戻り止め部材１６２が頂板１５４から上方に延びており、基板１５０の下面に設けられた凹凸面（図示せず）と相互作用可能に係合する。戻り止め部材１６２は、ばね等により基板１５０の凹凸面に向かう方向に押圧されており、基板１５０を所望位置にロックする。肘掛け３６は、背もたれ３４の全体的平面に対してほぼ垂直な垂直平面から内方に約２０°及び外方に約１０°枢動できるのが好ましい。したがって、肘掛け３６は、種々の体格の使用者に適合できるように使用者の前腕との充分な接触を確保でき且つ幅狭のキーボード等の種々の作業機器との適正な整合を確保できるように、所望の角度に枢動できる。
【００４３】
再び図１５を参照すると、支持アーム１５２は、互いに間隔を隔てた側壁１６６により形成されるキャビティ１６４と、曲面をもつ端壁１６７と、頂壁１６８とを有する。キャビティ１６４内に爪１７０が配置され、該爪１７０は支持アーム１５２の側壁１６６間に延びたピン１７２の回りで枢動できる。爪１７０の上端部から下方に操作ボタン１７４が延びており、該ボタン１７４は爪１７０の下端部１７５を枢動させて背もたれフレーム６４の側方部材９０から外方に延びた複数の歯１７６と係合及び離脱させる。爪１７０の端部１７５は、ばね等により歯１７６に向かって常時押圧されている。第１リンク５６の上方に延びる後端部６２が、慣用的な緊締具（図示せず）により背もたれフレーム６４の側方部材９０に強固に取り付けられており、この後端部６２は、爪１７０を摺動可能に受け入れる垂直スロット１７８を備えたスリーブ部材として構成するのが好ましい。スリーブ部材６２と背もたれフレームの側方部材９０の歯１７６との間にはガイド部材１８０が配置されている。ガイド部材１８０は丸い面１８２を有し、該面１８２は、スリーブ部材６２及び端部１７５を受け入れるための爪１７０の端部１７５とほぼ同じサイズ及び形状をもつスロット１８４に対して摺動可能に当接する。また、ガイド部材１８０には複数のねじ孔１８６が設けられ、支持アーム１５２の端壁１６７には、支持アーム１５２を、スリーブ部材６２に対して同一面となるようにで摺動可能に保持する慣用的な緊締具（図示せず）を受け入れるためのねじ孔１８８が設けられている。
【００４４】
作動に際し、操作ボタン１７４を押し下げて、ピン１７２の回りで爪１７０を枢動させ、背もたれフレームの側方部材９０の歯１７６から端部１８６を離脱させる。支持アーム１５２は所望高さまで摺動可能に移動され、操作ボタン１７４を解放して爪１７０の端部１８６と歯１７６とを係合させることにより、支持アーム１５２を新しい位置にロックする。
【００４５】
図１６〜図１８には、肘掛け３６の他の実施例が示されている。支持アーム１５２の頂板１５４は、該頂板１５４の前部から上方に延びた割出しブシュ１９０と、頂板１５４の後部から上方に延ひた枢動ブシュ１９２とを有する。基板１５０は、該基板１５０の後部に設けられた、枢動ブシュ１９２を受け入れるための孔１９４と、該孔１９４の前方に配置された、割出しブシュ１９０を受け入れるための湾曲スロット１９６とを有する。基板１５０は枢動ブシュ１９２の回りで枢動でき、湾曲スロット１９６は枢動ブシュ１９２の回りの一定半径を有する。基板１５０を間欠停止させるため、支持アーム１５２の基板１５０と頂板１５４との間に中間板１９８が配置されている。中間板１９８は基板１５０の下面に取り付けられ且つ枢動ブシュ１９２を受け入れるための孔を有する。また、中間板１９８には割出しスロット２００が設けられ、該割出しスロット２００は基板１５０のスロット１９６の下に配置され且つ割出しブシュ１９０を受け入れる。割出しスロット２００は、スロット１９６と同じ一定半径をもつ中心線を有する。スロット２００は、割出しブシュ１９０より僅かに大きな直径をもつ３つの円形部分２０２、２０４、２０６に近似する縁部２０１により形成される。円形縁部２０２、２０４、２０６は、割出しブシュ１９０を保持するけれども、中間板１９８に横方向の力を加えると１つの円形部分から他の円形部分に移動できるように構成されている。かくして、基板１５０は、中間板１９８の円形縁部２０２、２０４、２０６により形成される３つのロック位置間を枢動できる。好ましくは、割出しブシュ１９０及び円形縁部２０２、２０４、２０６は、基板１５０を、図１４に示すように、背もたれ３４の全体的平面に対して垂直な第１位置と、該第１位置から２０°内方の第２位置と、第１位置から１０°外方の第３位置との間でロックできるように配向されている。肘掛け３６の他の角度位置を与えるため、割出しスロット２００に、枢動ブシュ１９２に対して所望の角度で、所望数の円形縁部を設けることができる。また、基板１５０及びクッションは、椅子３０が任意の傾斜位置にあるときに使用者の前腕を快適に支持するための湾曲部分２０８を備えている。
【００４６】
椅子３０の他の特徴は、傾斜位置間で使用者の身体に倣うこと及び人間工学的に好ましい位置で身体を支持する補助をすることにある。例えば、シート３２は自動調節弾性膜２１０を有し、背もたれ３４は、任意の傾斜位置で使用者を快適に支持するための同様な膜２１２を有する。両膜２１０、２１２及びこれらの膜をシートフレーム３３及び背もたれフレーム６４に取り付ける方法について以下に詳細に説明する。
【００４７】
使用者の背中の腰部領域を支持するため、背もたれ３４のフレーム６４は湾曲部２１４を有し、膜２１２は対応する湾曲部２１６を有する。椅子が後方に傾動するとき、背もたれ３４と床４６との間の角度は、シート３２と床４６との間の角度より大きな割合で増大するため、背もたれ３４の湾曲部２１４、２１６は、任意の傾斜位置での腰部支持の適正位置決めを保証するため、自動的に下方（好ましくは、傾斜位置ともたれ掛かり傾斜位置との間で約1.5インチ（約３８．１ｍｍ）の距離）に移動する。
【００４８】
腰部支持の位置を更に調節するため、背もたれフレーム６４の側方部材２２０に調節可能なブレース部材２１８が取り付けられている。ブレース部材２１８は、両側方部材２２０間で且つ背もたれの膜２１２の後ろで水平に配置されている。図１５には、織成ナイロン等の可撓性材料で作られたブレース部材２１８の一実施例が示されている。ブレース部材２１８は、背もたれフレーム６４の側方部材２２０に形成された垂直スロット２２４により受け入れられるフック部材２２２を有する。ブレース部材２１８の高さを調節するには、ＶＥＲＣＲＯ（登録商標）等の慣用的なファスナ（図示せず）を外してブレースの張力を緩め、スロット２２４内でフック部材２２２が動き得るようにする。ブレース部材２１８を再連結し及び／又はブレース部材２１８を横方向に調節して所望の張力を得るには、所望量だけファスナを締めつける。
【００４９】
図１９及び図２０には、ブレース部材２１８の他の実施例が示されている。この実施例では、背もたれフレーム６４の内縁部２２６が膜２１２から間隔を隔てられるように、背もたれフレーム６４が膜２１２に対して傾斜されている。好ましくは、ブレース部材２１８は楕円形であり且つゴム等の比較的柔らかい半剛性材料で作られる。図２０に示すように、ブレース部材２１８は、背もたれの膜２１２に当接する内側面２２８を有する。ブレース部材２１８は、該ブレース部材の角度調節ができるように、背もたれフレーム６４の内縁部２２６に対し回転可能に取り付けられている。この角度調節により膜２１２が引っ張られ、使用者の背中の腰部領域に対する所望の支持位置及び支持量が得られる。例えば、ブレース部材２１８は、図２０に実線で示す標準位置から破線で示す別の位置に回転できる。ブレース部材２１８が膜２１２に対する或る角度に回転されるとき、ブレース部材２１８の上縁部２３０及び下縁部２３２の各々が、使用者の背中を支持する快適な面領域を与える半径を有することが好ましい。
【００５０】
ブレース部材２１８は、該ブレース部材の両端部に取り付けられる１対の回転コネクタ２３４、２３６によりフレーム６４に対し回転可能に取り付けられる。コネクタ２３４、２３６の構造は実質的に同一であるので、特にコネクタ２３４についてのみ説明する。コネクタ２３４は、フレームの縁部２２６を掴むことができるように、板２４０から垂直方向外方に延びた、垂直方向に整合する複数のフック部材２３８を有する。枢動ロッド２６２が板２４０から垂直方向内方に延び且つインサート２４４を介してボール−ソケット型構造内に受け入れられる。インサート２４４はブレース部材２１８のキャビティ２４６内に取り付けられ且つ、インサート２４４の軸線方向変位を防止すべくキャビティ内の対応する環状溝により受け入れられる複数の環状リブ２４８を有する。枢動ロッド２４２は、ブレース部材２１８を枢動させるべく該ブレース部材を操作するのに必要とされる充分な摩擦係合をもって、インサート２４４内に取り付けるのが好ましい。
かくして、使用者の背中の腰部領域を所望の量及び位置で支持することができる調節可能なブレース部材２１８が提供される。また、コネクタ２３４、２３６は、ブレース部材２１８の垂直調節ができるようにフレームの縁部２２６に対して着脱可能に取り付けることができる。
【００５１】
図２１〜図２７には、本発明の傾斜制御機構が示されている。前述のように、リンク５６の内方に延びる前端部６６は、傾斜制御ハウジング３８の前部に枢動可能に取り付けられている。拘束リンク７０の端部７２は、リンク５６の端部６６の取付け箇所の後方且つ下方で、ハウジング３８の前部に枢着されている。好ましくは、リンク５６の端部６６は、ハウジング３８を通って横方向に延びる六角軸２５０に強固に取り付けられ且つ１対のブシュ２５４を介してハウジング３８の互いに間隔を隔てた側壁２５１、２５２に対して回転可能に取り付けられる。同様に、拘束リンク７０の端部７２は、ハウジング３８の側壁２５１、252に対して回転可能に取り付けられた横方向に延びるバー２５６に強固に取り付けられる。シート３２の後方への傾動に抗する復帰トルクを与えるため、弾性捩りばね２５８が六角軸２５０に取り付けられている。使用者がシート３２に座るときの軸２５０の回転に抵抗するため、ばね２５８が軸２５０の回りで捩り運動できるように取り付けられている。この形式の捩りばねは、B.F．Goodrich Compa-nyにより製造され且つTORSILASTIC（登録商標）として市販されている。図２１〜図２３に示すように、六角軸２５０には六角コアをもつブシュ２６０が固定され、ゴムのような弾性材料からなる成形スリーブ２６２がブシュ２６０に固定されている。金属の外側スリーブ２６４が弾性スリーブ２６２に固定的に取り付けられ、アーム２６６が外側スリーブ２６４から半径方向外方に延びている。軸２５０の回転に抗する復帰トルクを与えるため、アーム２６６がハウジング３８に固定されるようになっている。かくして、使用者がシート３２に座ることにより生じる軸２５０の回転により、弾性スリーブ２６２が捩じられ、これにより軸２５０に抗する復帰トルクが生じる。
【００５２】
軸２５０の回転に抗してはね２５８により発生される初期復帰トルクは、外側スリーブのアーム２６６の位置を変えることにより調節できる。容易な調節が行えるようにするため、外側スリーブのアーム２６６は、該アーム２６６の端部の凹部２７０を形成する互いに間隔を隔てた部分２６８を有している。側部２６８は、ねじ２７４に螺合する横方向に配向されたブロック部材２７２と作動可能に係合する。ねじ２７４はハウジング３８の底壁２７６に取り付けられ且つアーム２６６の凹部２７０を通って上方に延びている。ねじ２７４の軸線は外側スリーブ２６４に対して接線方向に配置され、ねじ２７４の頂部２８０にはベベルギア２７８が取り付けられている。ベベルギア２８２はベベルギア２７８と噛合い且つ該ベベルギア２７８の軸線と交差する軸線を有する。ベベルギア２８２は、ハウジング３８の側壁２５１に回転可能に取り付けられた軸２８４の端部に取り付けられている。軸２８４はハウジングの側壁２５１から水平方向外方に延び且つ使用者が容易にアクセスできるように取り付けられたハンドル２８６を有する。作動に際し、軸２８４及びギア２８２はギア２７８を回転させるべく所望量だけ回転され、該ギア２７８はねじ２７４を回転させる。ねじ２７４の回転によりブロック部材２７２がねじ２７４の軸線に沿ってリニアに移動され、これにより外側スリーブのアーム２６６が所望の半径方向位置に移動される。好ましくは、ベベルギア２７８、２８２の歯数比は、アーム２６６を移動させるのに要する努力が最小になるように定める。かくして、外側スリーブのアーム２６６は、ばね２５８の初期復帰トルクを変化させ、これにより使用者がシート３２に座るときにシート３２及び背もたれ３４が後方に傾動する速度を制御すべく所望量だけ容易に移動される。
【００５３】
また、シート３２及び背もたれ３４の最大後方傾斜を変化させるための調節可能な後方傾斜制限機構２９０が設けられている。図２４に最も良く示すように、ハウジング３８の側壁２５２に回転可能に取り付けられたロッド２９６には、カム部材２９２及びギア２９４が取り付けられている。好ましくは、カム部材２９２は、その外縁部３００に形成された複数の凹状面２９８を有する。アーム３０２は軸２５０に固定して取り付けられ且つ該軸２５０の端部に取り付けられた凹状フォロワ部材３０４を有する。アーム３０２は、使用者がシート３２に座ると、フォロワ部材３０４がカム部材２９２の凹状面２９８の１つと作動係合するように、軸２５０から後方に延びている。図２４及び図２５に示すように、軸２５０の最大時計回り方向回転、したがってシート３２及び背もたれ３４の最大後方傾斜位置は、カム部材２９２の位置により決定される。カム部材２９２の位置を調節するため、パイ型部材３０６がハウジング３８の側壁２５２に回転可能に取り付けられている。部材３０６の周縁部には、ギア２９４と噛み合う複数の歯３８が設けられている。パイ型部材３０６及びハウジング３８の側壁２５２には、部材３０６の回転を時計回り方向に偏倚させるためのばね３１０が取り付けられている。ばね３１０とは反対側の位置で部材３０６にはケーブル３１２が取り付けられ、該ケーブルはハウジング３８の側壁２５２に取り付けられたガイド部材３１４内で案内される。作動に際し、ケーブル３１２は、パイ型部材３０６を回転させるべく所望量だけ軸線方向に移動される。パイ型部材３０６はギア２９４と噛み合ってカム部材２９２を所望位置に回転させる。椅子を後方に傾動させると、凹状面２９８の１つがフォロワ部材３０４のストッパとして作用し、シート３２及び背もたれ３４の後方への傾動を制限する。図２５に破線で示すように、カム部材２９２及びアーム３０２は、シート３２及び背もたれ３４を前方傾斜位置にロックすべく回転される。
【００５４】
また、シート３２が図１〜図７に示す全体として水平な中間位置を過ぎて前方に傾動することを防止するための前方傾斜制限機構３１３が設けられている。図２６及び図２７に最も良く示すように、ハウジング３８の側壁２５１に回転可能に取り付けられたロッド３１６には、枢動部材３１４が取り付けられている。枢動部材３１４は前方傾斜当接面３１８及び標準傾斜当接面３２０を有している。軸２５０にはアーム３２２が固定して取り付けられており、該アーム３２２の端部には荷重支持部材３２４が取り付けられている。アーム３２２は、荷重支持部材３２４が前方傾斜当接面３１８又は標準傾斜当接面３２０のいずれかと係合できるように、軸２５０から後方に延びている。図２６及び図２７に示すように、軸２５０の最大時計回り方向回転したがってシート３２及び背もたれ３４の最大前方傾斜位置は、枢動部材３１４の位置により決定される。標準傾斜位置と前方傾斜位置との間で枢動部材３１４を作動させるため、枢動部材３１４にはケーブル３２６が取り付けられている。ケーブル部材３２６は、ハウジング３８の側壁２５１に取り付けられたガイド部材３２８内で案内される。また、図２６及び図２７に示すように、枢動部材３１４の回転を反時計回り方向に偏倚させるため、ハウジング３８の側壁２５１及びケーブル３２６とは反対側の位置で枢動部材３１４にはばね３３０が取り付けられている。作動に際し、ケーブル３２６を所望量だけ軸線方向に移動させると枢動部材３１４が回転され、これにより荷重支持部材３２４は、図２６に示すように標準傾斜当接面３２０と係合するか、図２７に示すように前方傾斜当接面３１８と係合できる。椅子に誰も座っていないか、使用者が前方に傾斜するときには、枢動部材３１４は荷重支持部材３２４のストッパとして作用し、シート３２及び背もたれ３４の前方傾動を制限する。
【００５５】
使用者が調節機構２９０、３１３を調節するのに傾き過ぎないようにするため、ケーブル３１２、３２６はシートフレーム３３の近くの位置から操作できるようになっている。図２８に示すように、ハンドル３３２は、第２リンク５０の１つに形成されたキャビティ３３４内、シートフレーム３３又は他の便利な位置に枢着できるように構成できる。かくしてケーブル３１２又は３２６は、単にハンドル３３２を所望量だけ枢動させることにより作動できる。或いは、図２９に示すように、ハンドル３４０を摺動してケーブル３１２又は３２６を作動できるようにするため、ガイド部材３３６及びスロット３３８を設けることもできる。
【００５６】
使用者を人間工学的に好ましい位置で快適に支持する補助をする本発明の椅子３０の他の特徴はシート３２の構造にある。図３０〜図３５に最も良く示すように、シート３２のフレーム３３は、中央開口３５２を横切って弾性膜２１０を支持する。好ましくは、フレーム３３はガラス繊維強化熱可塑性ポリエステルからなる単一成形片であり且つ膜２１０は以下に詳述するような複数の混織繊維を含んでいる。使用者の身体に倣うリムを形成するため、フレーム３３の側部５２及び後部３５４は上方に湾曲している。特に、椅子３０が後方に傾斜されているときに、使用者の膝の近くの大腿の下面に作用する圧力を最小にするため、フレーム３３の前部３５６は下方に湾曲している。膜３５６は、フレーム３３の前部３５６の上に載る、同様に下方に湾曲した部分３５７を備えている。使用者の脚に作用する圧力を更に軽減するため、ポリウレタン発泡体又は同様な材料で作られたクッション３５８が、フレームの前部３５６に形成された凹部３６０内に嵌合される。
【００５７】
好ましくは、膜２１０の全周が単一片支持部材３６２に取り付けられ、該支持部材３６２はシートフレーム３３の連続チャンネル３６４により着脱可能に受け入れられる。チャンネル１０３６４はシートフレーム３３の頂面３６６に形成され且つフレーム３３の全周に亘って延びている。支持部材３６２はフレーム３３によりチャンネル３６４内に固定的に保持されるけれども、支持部材３６２の底面には相互ロックストリップ３６９が設けられ、支持部材３６２をフレーム３３に更に固定している。相互ロックストリップ３６７、３６９はVELCRO（登録商標）等のフック−ループ型ファスナで構成するか、支持部材３６２及びチャンネル３６４の周囲から間隔を隔てて配置される別体タブで構成することもできる。支持部材３６２は、ポリブチレンテレフタレート（ＰＴＢ）、ポリスチレン又はガラス繊維強化ポリプロピレン等のしなやかではあるが半剛性を有する熱可塑性ポリエステル材料で作るのが好ましい。膜２１０は、以下に詳述するように、膜２１０は、支持部材３６２と共に金型内成形（インモールド）するのが好ましい。かくして、支持部材３６２は変形可能であるにも係わらず充分な剛性を有し、チャンネル３６４内に挿入されたときにも膜２１０の所望の輪郭を維持する。この目的のため、支持部材３６２は、フレーム３３の前部３５６の曲率と同様に下方に延びる前部を備えたチャンネル３６４と同じ輪郭に形成される。
【００５８】
また、支持部材３６２の頂面３６８は、周囲の任意の位置において、フレームの頂面３６６の輪郭に従うように構成されている。かくして、支持部材３６２の頂面３６８は、下方に延びた前部３５６にほぼ一致する可変傾斜と、上方に延びた側部５２と、フレーム３３の上方に延びた後部３５４とを有する。したがって、支持部材３６２からフレーム３３にかけての滑らかな移行部が設けられ、この移行部は、使用者の脚が置かれるシートの前部において特に好ましいものである。支持部材３６２の膜２１０から前部３７０にかけての滑らかな移行部を設けるため、膜２１０の周囲が、支持部材３６２の頂面３６８とほぼ同じ角度で支持部材３６２の上方内側コーナ３７２に取り付けられる。膜２１０の残部は、支持部材３６２の対応する頂面３６８とは異なる角度で支持部材３６２に取り付けられた状態が示されている。しかしながら、支持部材３６２に膜２１０を取り付けるこの方法は、膜２１０の周囲と支持部材３６２との間に任意の所望の「エントリー角」を許容することを理解すべきである。
【００５９】
図３６〜図３８に示すように、好ましくは、膜２１０は、一般に内装織物（textile upholstery weaving）に使用される繊維状ヤーンからなる複数のストランド３７６で交織（interlaced）された複数のエラストマーモノフィラメントで作るのが好ましい。エラストマーモノフィラメント３７４は、ポリテトラメチレンテレフタレートポリエステル及びポリテトラメチレンエーテルのブロックコポリマーから押し出される。この材料は、E．I．DuPont DeNemours Companyにより製造されるHytrel（登録商標）であって５５デュロメータ硬度（Ｄスケール）を有するもの、より詳しくは、Hytrelのグレード５５４４又は５５５６が好ましい。モノフィラメント３７４は、当業者に良く知られた標準工業技術により押し出される。この押出し工程中に、モノフィラメント３７４は張力を付与された状態で徐冷（アニール）され、ポリエーテル分子には影響を与えることなく、ポリエステル分子を一方向に配向する。これにより、モノフィラメント３７４の引張り強度及び弾性係数の両方が増大する。
【００６０】
ブロックコポリマーは、次のような特性をもつ２３５０デニールのモノフィラメントに押し出される。
【表１】
2008073556.tif 000003
【００６１】
エラストマーモノフィラメント３７４は膜２１０の主荷重支持部材であり、使用者を快適に支持できるように、シート３２の両側部５２の間の経糸内を横方向に走行させるのが好ましい。モノフィラメント３７４は使用者の臀部の形状に倣い且つ椅子３０が任意の傾斜位置にあるときに身体の自然の運動にも倣う。モノフィラメント３７４は、膜２１０に荷重を伝達する前に膜２１０の所望輪郭を維持するため、６〜９％の伸びが生じるように予張力を付与しておくのが好ましい。また、この予張力の付与により、モノフィラメント３７４の最適倣い特性が得られる。シート３２の快適性に加え更に支持能力を高めるため、シート３２の後部３５４と前部３５６との間で、複数のエラストマーモノフィラメントを経糸方向に長手方向に走行させることができる。シート３２の横方向及び長手方向の両方向にエラストマーモノフィラメントを設けた場合には、横方向のモノフィラメントに所望量の予張力を付与し且つ長手方向のモノフィラメントには異なる量の予張力を付与することにより、シート３２に所望の圧力分布を与えることができる。
【００６２】
使用者により大きな快適性を与えるには、エラストマーモノフィラメント374の断面が、１.５／１〜２／１の範囲の幅／高さ比をもつことが好ましい。これはより大きな快適性を与える。なぜならば、モノフィラメントの幅の増大により、使用者を支持する表面積が大きくなり、これにより使用者に作用する力が分散されるからである。かくして、使用者は、集中圧力点を生じ易い丸いモノフィラメントとは異なり、個々のモノフィラメント３７４からの圧力を殆ど受けない。また、モノフィラメント３７４の幅が大きくなると、膜２１０の外観が密で魅力的なものとなり、且つ使用者が慣用的なクッション上ではなくネットの上に座っているような感覚をもたないようになる。更に、摩擦の小さな支持を得るには、モノフィラメント３７４の断面を図３７及び図３８に示すような楕円形にするのが好ましい。モノフィラメントの断面は、慣用的な丸い断面のモノフィラメントよりも摩擦の小さな他の種々の断面形状にすることができる。モノフィラメント３７４を所望の楕円形に押し出すには、コポリマー材料のブロックを押し出すダイの断面形状を八角形にすることができる。楕円形モノフィラメント３７４は、約0.02479インチ（約０．６２９７ｍｍ）の幅及び約0.01636インチ（約０．４１５５ｍｍ）の高さすなわち厚さを有するものが好ましい。これらの寸法にした場合、膜２１０は、横方向に、１インチ（２５．４ｍｍ）当たり約２４〜２６本のモノフィラメントを有するものとなる。
【００６３】
再び図３６〜図３８を参照すると、繊維ストランド３７６はシート３２の経糸方向で長手方向に走行し、且つ好ましくは３つの群に配置する。各ストランド３７６は、紡がれ、織られ又は縒られた１５００デニールのナイロン（Nylon）又はポリエステルヤーンからなる、互いに隣接する多フィラメント束３７６Ａ、３７６Ｂで形成するのが好ましい。シート３２の長手方向に付加的支持を付与するため、モノフィラメント３７８を紡ぎ（spinning）、エアジェット織り（air jet textur-ing）又は被覆（covering）することにより、スパンデックスのような弾性モノフィラメント３７８を各ストランド３７６に組み込むことができる。モノフィラメント３７８は、E．I．DuPont DeNemours Companyにより販売されるLycra（登録商標）モノフィラメントが好ましいけれども、Hytrel（登録商標）等の他の材料を用いて所望の支持を得ることもできる。モノフィラメント３７８は、該モノフィラメント３７８の回りに繊維束３７６Ａ、３７６Ｂをラッピングする等の任意の適当な方法でストランド３７６に固定できる。また、所望数のモノフィラメント３７８を設けることができる。膜２１０に荷重が伝達されない状態の該膜２１０の所望の輪郭を維持するため、ストランド３７６には３〜５％の範囲の伸びが生じる予張力を付与することが好ましい。また、ストランド３７６はシート３２の第２荷重支持部材であり、予張力の付与により、使用者が膜２１０上に座るときのストランド３７６の最適倣い特性が得られる。ストランド３７６の密度は、１インチ当たり約７〜１０本であるのが好ましい。
【００６４】
図３６に示すように、エラストマーモノフィラメント３７４と、魅力的な厳格に織られたパターンに交織され、これは通気性を高め且つ滑らかな座面を形成する。ストランド３７６は、各ストランド群の間で交差するエラストマーモノフィラメント３７４の対により３つの群に保持される。例えば図３６には、モノフィラメント３７４Ａ、３７４Ｂは、ストランド３７６の群３８０と群３８２との間で交差したものが示されている。群をなす各ストランド３７６間に空間を維持するには、モノフィラメント３７４は、互いに隣接する群のストランドを交互に上下に織り込む。複数のストランド３７６は、摩擦のない織物の比較的大きな表面積を与え、これは、使用者に作用する力を分散させて、圧力集中により生じる「格子マーク」型のフィーリングを解消させる。また、この織成パターンはモノフィラメント３７４とストランド３７６との間の開口を通る充分な通気を与え、汗の蒸発及び空気の循環を容易にして発熱を最小にできる。また、ストランド３７６を長手方向に配向したこと及び群にしたことにより、長手方向のデザイン及び比較的密な外観をもつ魅力的なシートが形成される。
【００６５】
次に、図３９〜図４８に関連して支持部材３６２の形成方法及び該支持部材３６２に膜２１０を取り付ける方法について説明する。膜２１０を捕捉して引っ張った状態に保持するための、上方部材３８６及び下方部材３８８を備えたルーム３８４が設けられる。ルーム３８４の下方部材３８８は、最初に引張り機械（図示せず）内に置かれる。次に、前述の織成パターンを備えた膜２１０が下方ルーム部材３８８上に置かれ、引張り機械のクランプ部材３９０が膜２１０の縁部をクランプして該膜２１０を横方向及び長手方向の両方向に所定量だけ引っ張る。次に、上方ルーム部材３８６が下方ルーム部材３８８に対してクランプされ、膜２１０が引っ張られた状態に保持される。引張り機械のクランプ部材３９０が膜２１０を解放し、ルームの外側の膜２１０の余剰の縁部３９２が所望量だけトリミングされる。
【００６６】
ルーム３８４は、支持部材３７４により形成される面積より大きい中央開口をもつ半矩形の形状を有する。また、ルーム３８４は下方に延びた前部３９４を有し、該前部３９４はフレーム３３の下方に延びた前部３５６の輪郭と同じである。上下のルーム部材３８６、３８８の各々が、エポキシ、ウレタン等のプラスチック又は他の適当な軟質材料で作られた截頭円錐状のカバー部材を有し、該カバー部材は曲げられた鋼管３９８上に成形される。鋼管３９８はルーム部材３８６、３８８の構造的支持を与えるため設けられ、プラスチック部材３９６は鋼成形工具をチッピングその他の損傷から保護するため設けられる。上方ルーム部材386はこれから下方に延びた１対の隆起部４００を有し、下方ルーム部材３８８はこれに形成された１対の一致溝４０２を有し、これらの隆起部４００と溝４０２との間に膜２１０が固定される。ルーム部材を一体に保持し且つ膜２１０を引っ張られた状態に維持するための複数のクランプ装置（図示せず）も設けられている。
【００６７】
図４１〜図４６に最も良く示すように、成形工具４０４は上方金型部材４０６及び下方金型部材４０８からなる。上下の金型部材４０６、４０８は対応する凹部４１０、４１２を有し、これらの凹部４１０、４１２は上下のルーム部材３８６、３８８を受け入れる形状を有する。また、金型部材４０６、４０８は上下の凹部４１４、４１６を有し、これらの凹部４１４、４１６は、両金型部材４０６、４０８が一体に閉鎖されるとキャビティ４１８を形成する。キャビティ４１８は支持部材３６２の所望の形状及び輪郭を有し、キャビティ４１８の大部分はシートフレーム３３のチャンネルａ１４と同じ形状及び輪郭である。
【００６８】
引張り機械のクランプ部材３９０が取り外され且つ膜２１０の余剰縁部がトリミングされた後、ルーム３８４と引っ張られた膜２１０との組立体が取り外されて下方金型部材４０８内に置かれる。次に、膜２１０が図４３に示すような下方金型部材４０８の湾曲した内側雄形部分４２０上で成形されるように、下方ルーム部材３８８が下方金型部材４０６の凹部４１２内に置かれる。かくして、膜２１０の周囲（周辺部）４２２は下方金型４０８の凹部４１２上で所望角度に配置され、予張力が付与された膜２１０は、下方金型４０８に対して上方金型406を閉じる前に所望の輪郭になる。次に、膜２１０を更に引っ張ることなく又は凹部４１２上での膜２１０の周辺部４２２の位置を変えることなく、下方金型408に対して上方金型４０６が閉じられる。上方金型４０６のルーム凹部４１０が上方ルーム部材３８６を受け入れ、上方金型４０６の雌形の内側湾曲部４２４（該湾曲部４２４は下方雄形金型４０８の雄形の内側湾曲部４２０と同じ輪郭を有する）が膜２１０に当接する。次に、プラスチック樹脂がキャビティ４１８内に射出され、膜２１０の周辺部４２２を固定する。次に、上下の金型部材４０６、４０８が引き離され、支持部材３６２と膜２１０との組立体が取り出され、支持部材３６２の外側の余剰縁部がトリミングされ、且つ支持フレーム３６２の下面に相互ロックストリップ３６７が接着的に結合される。
【００６９】
図４７及び図４８は、閉鎖位置すなわち「シャットオフ」位置にある上下の金型４０６、４０８を示し、両金型がこの位置にある間に樹脂がキャビティ４１８内に射出される。膜２１０には厚さがあるので、両金型部材４０６、４０８を互いに完全にクランプすることはできない。モノフィラメント３７４とストランド３７６との織成は可変厚さ膜２１０を創出し、両金型部材４０６、４０８を一体にクランプできる最接近距離は、膜２１０の最大厚さ部分により決定される。図４７及び図４８に示すように、膜２１０の最大厚さ部分は、エラストマーモノフィラメント３７４がストランド３７６の群の間で交差する領域にある。両金型部材４０６、４０８が交差領域におけるモノフィラメント３７４に対して閉じられると、オーバーラップしていないストランド３７６及び単一モノフィラメント３７４は厚さが小さくなり、かくして両金型部材４０６、４０８の間にギャップ４２６が形成される。樹脂がキャビティ４１８から漏洩するのを防ぐには、このギャップ４２６を最小にすることが望まれる。オーバーラップする楕円形モノフィラメント３７４の全厚は、オーバーラップする丸いモノフィラメントの全厚より小さいので、両金型部材４０６、４０８がより近接して一体にクランプされ、ギャップ４２６を最小にでき、これにより漏洩量が減少される。また、全厚が減少すると、両金型部材４０６、４０８が膜２１０に対してクランプされるときに生じる応力が小さくなり、これによりモノフィラメント３７４、３７６に損傷を与えなくなる。
【００７０】
図４９〜図５６には、シート３２の別の実施例が示されている。これらの実施例は前述の実施例と同様であるので、図４９〜図５６に示される同類の部品は前の実施例と同じ番号で示す。図４９及び図５６において、シートフレーム３３には互いに間隔を隔てた複数のスロット４３０が形成されており、該スロット４３０はチャンネルａ１４の底壁を貫通して延びている。支持部材３６２は、これから下方に延び且つ互いに間隔を隔てた複数のタブ４３４を有する。タブ４３４は、該タブ４３４の下端部から外方に延びたフック部分４３６を有し、スロット４３０はタブ４３４を受け入れることができる充分なサイズを有する。支持部材３６２は、該支持部材をチャンネルａ１４内に挿入し且つタブ４３４をスロット４３０内にパチンと嵌入することによりフック部分４３６がスロット４３０を貫通してフレーム３３の下面４３８と係合すればシートフレーム３３に固定される。フレーム３３に支持部材３７４を取り付けるこの実施例は、座面を支持部材に取り付けるのに使用される方法の如何に係わらず、支持フレームを使用するあらゆる形式のシートに使用できる。
【００７１】
また、図４９〜図５６には支持フレーム３６２に膜２１０を取り付ける別の実施例も示されている。例えば、膜２１０の周辺部４２２には、支持部材３６２（図４９及び図５０）の頂面に形成されたキャビティ４４２内に圧嵌めされるインサート４４０を鋳込むことができる。膜２１０の周辺部４２２は、図５１〜図５６に示すように、支持部材３６２の底面４４４に振動溶接又は超音波溶接することができ、且つ複数の歯部材４４６が底面４４４から下方に延びており、図５２に示すように膜２１０を更に底面４４４に固定する。
【００７２】
使用者の背中に必要とされる種々の支持を反映させるため、エラストマーモノフィラメント及びストランドの予張力の所望量は変えることができるけれども、背もたれ３４はシート３２と同じ材料且つ同じ方法で構成するのが好ましい。
【００７３】
支持部材へのシート及び背もたれの膜の予組立はメインテナンスを容易にする。なせならば、膜と支持部材との組立体は、修理及び／又は鋼管のために容易に取り外すことができるからである。また、この構造は製造上の大きなフレキシビリティを与える。この支持部材はシート又は背もたれフレームの構造的条件を有しないので、所望の形式の取付け方法について所望の材料を使用できる。例えば、支持部材の材料は、膜が支持部材と一体成形されるか、支持部材に溶接（融着）されるかに基づいて選択される。インサート成形方法及び膜の予張力の付与を行うのに半剛性材料を使用でき、且つ膜を支持部材に溶接するのに低融点材料を使用できる。
【００７４】
膜を支持フレームに取り付けるインモールド方法は、また、他の取付け方法に比べ大きな長所がある。例えば、設計上のフレキシビリティが得られる任意の輪郭をもつフレーム及び支持部材を得るため、金型キャビティの構造を変えることができる。フレームと支持部材との間に滑らかな移行部を形成するため、フレーム及び支持部材の頂面を同じ傾斜にすることができる。膜の形状及び支持部材に膜を取り付ける角度も容易に調節できる。また、インモールド方法は、支持部材をフレームに取り付けるのに比較的小さなチャンネルのみを必要とするため、フレームをより薄くできる。
【００７５】
また、膜は、椅子があらゆる傾斜位置にあるときに、使用者の身体の自然の運動に倣うフレキシブルな支持を与える。図２〜図１０は、使用者が座っているときのシート及び背もたれの膜のおおよその位置を示す。これらの膜は、使用者の微小な姿勢変化に応答し、これが体幹の筋肉を刺激し且つ脊柱の移動が脊柱円板を水和できるようにする。
【００７６】
前方傾斜位置（図８及び図１０）では、シートの膜２１０が、脊柱の適正な曲りを保証する骨盤の前傾角を維持する。シートの膜２１０の弾性は、使用者の骨盤を水平面に保ちなから大腿が前方に傾斜できるようにし、これにより、使用者に椅子から滑り落ちることはないという感覚を与え且つ使用者の大腿の下面に作用する剪断力が低減される。また、シートの膜２１０は、背もたれの膜８２の湾曲部８６に対して使用者の背中の腰部領域を受動的に位置決めする。図２〜図７及び図９に示す中間傾斜位置及びもたれ掛かり傾斜位置では、シートの膜２１０の弾性が、自動的に、大きな臀部をシート３２と背もたれ３４との間のポケット内により深く割り込ませて、背もたれマットの湾曲部８６に対する使用者の腰部領域の正確な位置決めを保証する。
【００７７】
背もたれ及びシートの膜が多孔質であるため、空気が膜を通って流れ、使用者の皮膚に通気を与える。このような通気を与えると、使用者が慣用的な椅子に長時間座っていると生じるような不快な発熱（この発熱は衣服層にも同様に作用する）が軽減される。
【００７８】
かくして、椅子３２の傾動及びシートの膜及び背もたれの膜は、骨盤−腰部プロセスを受動的に安定化させ、これまで脚を交差した前傾姿勢に伴って生じた筋肉活動を低減させる。また、膜は、種々の使用者の脊柱の仙骨板の角度変化に適合できる。
【００７９】
かくして、最も好ましい実施例では、椅子が傾斜しているときに使用者の身体に自然に倣うことができ、使用者の大腿及び体幹に作用する剪断力を低減させ且つ使用者の大腿の下面に作用する圧力を最小にする。本発明の椅子は、種々の強度の仕事を行うのに、人間工学的に望ましい位置で使用者の身体を自動的に支持し、且つ椅子の垂直方向調節範囲は、慣用的な事務用椅子よりも低い最小高及び高い最大高が得られる。
【００８０】
以上、本発明の好ましい実施例に関連して本発明を説明したか、当業者ならば、本発明の精神及び範囲から逸脱することなく細部の変更が可能であることが理解されよう。上記詳細な説明は制限的なものではなく、例示的なものである。本発明の均等物を含む請求の範囲の記載が本発明の範囲を定めるものである。
【図面の簡単な説明】
【００８１】
【図１】図１は、背もたれ、シート及び１対の肘掛けを備えた椅子の好ましい実施例を示す斜視図である。
【図２】図２は、本発明の椅子の正面図である。
【図３】図３は、本発明の椅子の右側面図である。
【図４】図４は、本発明の椅子の左側面図である。
【図５】図５は、本発明の椅子の後面図である。
【図６】図６は、本発明の椅子の平面図である。
【図７】図７は、本発明の椅子の底面図である。。
【図８】図８は、前方傾斜位置にあるシート及び背もたれを示す本発明の椅子の側面図である。
【図９】図９は、もたれ掛かり傾斜位置にあるシート及び背もたれを示す本発明の椅子の側面図である。
【図１０】図１０は、好ましい前方位置、中間位置及びもたれ掛かり傾斜位置にあるシート及び背もたれを示す本発明の椅子の側面図である。
【図１１Ａ】図１１Ａは、支柱組立体の好ましい実施例を断面で示す上昇位置にある本発明の椅子の部分側面図である。
【図１１Ｂ】図１１Ｂは、収縮位置にある図１１Ａの支柱組立体を示す下降位置にある本発明の椅子の部分側面図である。
【図１２Ａ】図１２Ａは、支柱組立体の他の実施例を断面で示す上昇位置にある本発明の椅子の部分側面図である。
【図１２Ｂ】図１２Ｂは、収縮位置にある図１２Ａの支柱組立体を示す下降位置にある本発明の椅子の部分側面図である。
【図１３】図１３は、図１１Ａ及び図１１Ｂに示す支柱組立体の更に別の実施例の断面図である。
【図１４】図１４は、肘掛けが破線で示す種々の枢動位置にあるところを示す本発明の椅子の平面図である。
【図１５】図１５は、肘掛け組立体、背もたれフレーム及びリンク組立体の分解した状態を示す本発明の椅子の部分斜視図である。
【図１６】図１６は、肘掛け組立体の他の実施例を示す分解平面図である。
【図１７】図１７は、肘掛け組立体の他の実施例を示す分解平面図である。
【図１８】図１８は、図１６及び図１７に示す肘掛け組立体の断面図である。
【図１９】図１９は、背もたれ及びブレース部材の他の実施例を示す部分後面図である。
【図２０】図２０は、図１９に示す背もたれ及びブレース部材の断面図である。
【図２１】図２１は、傾斜制御機構の正面図であり、明瞭化のため種々の部品を取り外したところを示すものである。
【図２２】図２２は、図２１の２２−２２線に沿う傾斜制御機構の断面図である。
【図２３】図２３は、図２１及び図２２に示す傾斜制御機構の平面図であり、明瞭化のため種々の部品を取り外したところを示すものである。
【図２４】図２４は、後方傾斜制限機構を示す傾斜制御機構の側面図である。
【図２５】図２５は、後方傾斜制限機構を示す傾斜制御機構の側面図である。
【図２６】図２６は、前方傾斜制限機構を示す傾斜制御機構の側面図である。
【図２７】図２７は、前方傾斜制限機構を示す傾斜制御機構の側面図である。
【図２８】図２８は、傾斜制御機構を作動する機構を示す断面図である。
【図２９】図２９は、傾斜制御機構を作動する機構を示す断面図である。
【図３０】図３０は、シートの分解斜視図である。
【図３１】図３１は、図３０に示すシートの斜視図である。
【図３２】図３２は、図３１の３２−３２線に沿うシートの断面図である。
【図３３】図３３は、図３１に示すシートの断面図である。
【図３４】図３４は、図３１の３４−３４線に沿うシートの断面図である。
【図３５】図３５は、図３１に示すシートの断面図である。
【図３６】図３６は、シートの膜の分解部分図である。
【図３７】図３７は、図３６の３７−３７線に沿うシートの膜の断面図である。
【図３８】図３８は、図３６の３８−３８線に沿うシートの膜の断面図である。
【図３９】図３９は、シートの膜にクランプされた上下のルーム部材及びクランプ部材を示す平面図である。
【図４０】図４０は、図３９の４０−４０線に沿うルーム部材、クランプ部材及び膜の断面図である。
【図４１】図４１は、下方の金型部材を示す平面図である。
【図４２】図４２は、下方の金型部材内に装填されたルーム部材及び膜を示す平面図である。
【図４３】図４３は、図４２の４３−４３線に沿うルーム部材、膜及び金型部材の断面図であり、閉じる前の金型部材を示すものである。
【図４４】図４４は、ルーム部材及び膜に対して閉じられた図４３の金型部材を示す断面図である。
【図４５】図４５は、図４２の４５−４５線に沿うルーム部材、膜及び金型部材の断面図であり、閉じる前の金型部材を示すものである。
【図４６】図４６は、ルーム部材及び膜に対して閉じられた図４５の金型部材を示す断面図である。
【図４７】図４７は、図４４及び図４６の閉じられた金型部材の分解断面図であり、キャビティ及び膜を示すものである。
【図４８】図４８は、図４７の４８−４８線に沿う金型部材及び膜を示す断面図である。
【図４９】図４９は、シートの他の実施例を示す斜視図である。
【図５０】図５０は、図４９に示すシートの分解断面図である。
【図５１】図５１は、シートの更に別の実施例を示す斜視図である。
【図５２】図５２は、図５１に示すシートの断面図である。
【図５３】図５３は、シートの更に別の実施例を示す斜視図である。
【図５４】図５４は、図５３の５４−５４線に沿う第５３図のシートの断面図である。
【図５５】図５５は、図５３の５５−５５線に沿う、図５３のシートの断面図である。
【図５６】図５６は、図５３の５６−５６線に沿う、図５３のシートの断面図である。
【符号の説明】
【００８２】
３０  椅子
３２  シート
３３  シートフレーム
３４  背もたれ
３６  肘掛け組立体
３８  傾斜制御ハウジング
４０  リンク組立体
４２  二段支柱
４４  受台
４６  床
４８  キャスタ
５０  第１リンク
５４  枢動点
５６  第２リンク
５８  第１部分
６０  第２部分
６２  後端部
６４  フレーム
６６  前端部
６８  有効枢動点
【図１】
2008073556.tif 000004
【図２】
2008073556.tif 000005
【図３】
2008073556.tif 000006
【図４】
2008073556.tif 000007
【図５】
2008073556.tif 000008
【図６】
2008073556.tif 000009
【図７】
2008073556.tif 000010
【図８】
2008073556.tif 000011
【図９】
2008073556.tif 000012
【図１０】
2008073556.tif 000013
【図１１Ａ】
2008073556.tif 000014
【図１１Ｂ】
2008073556.tif 000015
【図１２Ａ】
2008073556.tif 000016
【図１２Ｂ】
2008073556.tif 000017
【図１３】
2008073556.tif 000018
【図１４】
2008073556.tif 000019
【図１５】
2008073556.tif 000020
【図１６】
2008073556.tif 000021
【図１７】
2008073556.tif 000022
【図１８】
2008073556.tif 000023
【図１９】
2008073556.tif 000024
【図２０】
2008073556.tif 000025
【図２１】
2008073556.tif 000026
【図２２】
2008073556.tif 000027
【図２３】
2008073556.tif 000028
【図２４】
2008073556.tif 000029
【図２５】
2008073556.tif 000030
【図２６】
2008073556.tif 000031
【図２７】
2008073556.tif 000032
【図２８】
2008073556.tif 000033
【図２９】
2008073556.tif 000034
【図３０】
2008073556.tif 000035
【図３１】
2008073556.tif 000036
【図３２】
2008073556.tif 000037
【図３３】
2008073556.tif 000038
【図３４】
2008073556.tif 000039
【図３５】
2008073556.tif 000040
【図３６】
2008073556.tif 000041
【図３７】
2008073556.tif 000042
【図３８】
2008073556.tif 000043
【図３９】
2008073556.tif 000044
【図４０】
2008073556.tif 000045
【図４１】
2008073556.tif 000046
【図４２】
2008073556.tif 000047
【図４３】
2008073556.tif 000048
【図４４】
2008073556.tif 000049
【図４５】
2008073556.tif 000050
【図４６】
2008073556.tif 000051
【図４７】
2008073556.tif 000052
【図４８】
2008073556.tif 000053
【図４９】
2008073556.tif 000054
【図５０】
2008073556.tif 000055
【図５１】
2008073556.tif 000056
【図５２】
2008073556.tif 000057
【図５３】
2008073556.tif 000058
【図５４】
2008073556.tif 000059
【図５５】
2008073556.tif 000060
【図５６】
2008073556.tif 000061